(57)【特許請求の範囲】
【請求項１】
本発明の授乳カバー兼おんぶカバーは、授乳の際に胸が隠せるカバーと、おんぶの際に母親の胸の強調を防ぎ、乳幼児の寒さ、直射日光を軽減するカバーを兼ねた、一枚の布カバーであって、一枚の半月状の布の、直線部の中央部に１５ｃｍの長さのソフトワイヤーが入れられ、上記直線部の一端にボタンホールを設け、さらに上記直線部の他端から、直線部の長さの三分の一の範囲内にボタンを配置し、上記一端から直線部に沿って１５ｃｍの位置に取り付けられた３ｃｍ幅のリボンを有し、上記他端から直線部に沿って１５ｃｍの位置に取り付けたＤカン金具を有する事を特徴とした、授乳カバー兼おんぶカバー。
【請求項２】
上記布の直線部の他端に、Ｄカン金具をさらに有することを特徴とした、請求項１に記載の授乳カバー兼おんぶカバー。
【請求項３】
上記ソフトワイヤーの片端から上記布の直線部に沿って、綿ゴムを入れたギャザーが形成されることを特徴とした、請求項１又は２に記載の授乳カバー兼おんぶカバー。
【請求項４】
上記布の直線部に沿って、上記ソフトワイヤーの片端とは反対側の端から、さらに綿ゴムを入れた５ｃｍのギャザーが形成されることを特徴とした、請求項３に記載の授乳カバー兼おんぶカバー。
【請求項５】
上記布の縦の長さは９０ｃｍであることを特徴とした、請求項１から４のいずれかに記載の授乳カバー兼おんぶカバー。
【請求項６】
上記授乳カバー兼おんぶカバーを収納する、携帯用の共布の袋をセットした、請求項１から５のいずれかに記載の授乳カバー兼おんぶカバー。
【発明の詳細な説明】
【技術分野】
【０００１】本発明の授乳用カバー兼おんぶカバーは、外出先など人前で授乳する際にその様子を見られないように着用すると共に、ひも式おんぶ紐を使用の際は胸が強調されるのを隠し、おんぶされた乳幼児の防寒・日よけカバーとして使用できる授乳カバー兼おんぶカバーに関する。
【背景技術】
【０００２】外出先で授乳をする際には授乳室を利用するのが一般的となってきたが、まだまだ十分に完備された状態ではないというのが現状である。そして、完備されたデパートなどに行っても、授乳室が満員で授乳ができない状態の場合、他の場所で授乳をせざるを得ない。授乳室以外での授乳は、授乳時に乳房が他人から見えないように工夫する必要があるため、母親が乳児のようすを見る事が出来る方法としてエプロンの上部に芯を入れて張りをもたせるものがある。
（特許公開２００７−２３９６）
（特許文献      特許公開２００３−５５８１６）
（特許文献      特許公開２００３−２５６２６２）
（登録実用新案  第３１１５７７５）【０００３】胸の中央でクロスするひも式おんぶ紐を使用の際、胸の強調を隠すための適当な衣類が少なく、簡単に着脱可能な衣類も乏しかった。おんぶされた乳幼児の春夏秋の寒さ対策としてはバスタオルなどを使用していた。おぶった子の体を覆うものとしてはおんぶ用エプロンというものも考案されている（特許公開  平１０−２１２６１１）
また、このような環境において授乳カバーとおんぶ用の布やバスタオルなどを別々に持参するとかなりの荷物になる。これまで、授乳する際のカバーとおんぶする際のカバーが一緒のものはなかった。
（特許文献      特許公開２００６−１０４５９０）
【発明の開示】
【発明が解決しようとしている課題】
【０００４】上記に記述のようにバスタオルを巻いての外出は、寒さ防止や胸の強調を隠す効果も見られるが外観が良くなく、胸の強調は隠すことが難しい。また授乳カバーに関してはこれまでワイヤー入りのものはあるが、授乳時に幅を取るので狭い授乳室では使いづらかったり、授乳カバーとしてだけのひとつの用途でしか使用できなかった。
【０００５】本発明は、授乳の際に胸が隠せるカバーとおんぶの際に母親の胸の強調を防ぎ、乳幼児の寒さ、直射日光を軽減するカバーを兼ねた一枚の布カバーである。これら二つの機能を持ち合わせたカバーを使用する事により、外出時の荷物は軽減され外出に対するストレスも軽減されると考えた。
【課題を解決するための手段】
【０００６】授乳に関しては、一枚の半月状の布の直線部の中央部に入れたソフトワイヤー２を授乳者の上半身正面で中心とし、弧を描くように授乳者の背面で、上記直線部の他端に設けたボタンホール５と上記直線部の長さの三分の一の範囲内に設置したボタン４で留める（図３）。その際にリボン１を首に掛け小Ｄカン金具３で留める、もしくは肩の前側から後側にリボン１をかけてＤカン金具６で留めることで、布のすべり落ちを防止する（図２、図４、図５）。
上記直線部の中央部に入れたソフトワイヤー２の張りにより、母親と乳児はお互いの顔を確認しながら授乳が継続できる（図２、図４）。
【０００７】おんぶの際は上記布の直線部の中央部に入れたソフトワイヤー２を、おんぶされた乳幼児の背あてに沿わせるように当て（図７）、上記直線部の一端に設けたボタンホールと、さらに上記直線部の他端から直線部の長さの三分の一の範囲内に設置したボタンを授乳者の体の正面で留める（図８）。
【０００８】その際、上記ソフトワイヤー２の片端から上記布の直線部に沿って、綿ゴムを入れたギャザーが形成された布７を肩まで引き上げ（図６）、リボン１をＤカン金具６で留める事により胸の強調を隠すことが可能となる（図６）。
【０００９】上記布の縦の長さ９はおんぶされた乳幼児の足元まで隠れる長さを持つ為（図９）、春先や夏の少し冷たい風や日よけのカバーとして使用できる。そして、上記布の直線部を上部とした場合、下部は丸くなっている為歩行や自転車に乗る際も足捌きがよく安全である（図６）。
【発明の効果】
【００１０】おんぶされた乳幼児は、おんぶ紐の背あてに上記ソフトワイヤー２が沿い、すべり落ちを防止するので布を安定させる効果を持つ。また、上記ボタンを上記ボタンホールで使用者の正面で留める事により、背あてに当てた上記ソフトワイヤー２は固定され、上記ソフトワイヤー２の片端から上記布の直線部に沿って、綿ゴムを入れたギャザーが形成された布７の伸縮により、体にぴったり沿う。この結果、ずり落ちを防止する。乳幼児を覆う布の長さは乳幼児の足元まで覆う為、少し冷たい風や空調のきいた場所でも乳幼児は快適で居られる（図９、１１）。
【発明を実施するための最良の形態】
【００１１】以下、本発明の実施の形態を図１〜１２に基づいて説明する。【００１２】図においては、図１は布の展開図である。一枚の布で授乳カバーとおんぶカバーを兼ねる。【００１３】図２、図３、図４、図５において、綿（ガーゼも可）素材を使用し、授乳カバーとして使用する際はこの半月状の布の直線部の中央部に入っている１５ｃｍのソフトワイヤー２を中心として、ボタン４、ボタンホール５を授乳者の背面で留める事で円状になる。上記布の一端から直線部に沿って１５ｃｍの位置に取り付けられた３ｃｍ幅のリボンを、上記布の他端から直線部に沿って１５ｃｍの位置に取り付けた小Ｄカン金具３、もしくは上記布の直線部の他端取り付けたＤカン金具６に通し、長さを固定する。【００１４】図２においては授乳カバー時を正面から見た図である。授乳者▲１▼は乳児▲３▼をかかえ、上記ソフトワイヤー２で授乳者と布の間に空間が作られるので、乳児の顔を見ながら授乳が可能となる。リボンは授乳者の首にかかっているため布の落下を防止する。【００１５】図３においては授乳カバー時の背面を表した図である。リボン１を首に掛け小Ｄカン金具３で留めて長さを固定することで、布の落下を防ぐ。【００１６】図４においては授乳カバー時の正面から見た図である。授乳者▲１▼は乳児▲３▼をかかえ、授乳者はソフトワイヤー２によって出来た布の張りによって、胸元に空間が作られるので、乳児の顔を見ながら授乳が可能となる。リボンは前肩と後肩にかかっているため、布の落下を防ぐ。【００１７】図５においては授乳カバー時の背面を表した図である。リボン１を肩に掛けＤカン金具６で留めて長さを固定することで、布の落下を防ぐ。【００１８】図６、図７、図８においては、おんぶカバーとして使用する。上記布の、直線部の中央部に入っている１５ｃｍのソフトワイヤー２を紐式おんぶ紐の背あてにあて、使用者の体の正面で上記直線部の他端に設けたボタンホール５と上記直線部の長さの三分の一の範囲内に設置したボタン４で留めることで、上記ソフトワイヤーの片端から上記布の直線部に沿って、綿ゴムを入れたギャザーが形成された布７と、上記布の直線部に沿って、上記ソフトワイヤーの片端とは反対側の端から、さらに綿ゴムを入れた５ｃｍのギャザー８が体に沿う。さらにＤカン金具６を肩に引き上げる事で胸元にギャザーのドレープができる。その状態でリボン１を背中から肩に伸ばしＤカン金具６と装着することにより布の落下を防止する。【００１９】図６においては、おんぶカバー時の正面から見た図である。上記ソフトワイヤー２を体に沿わせ、正面で上記ボタン４を上記ボタンホール５で使用者の正面で留める事により、背あてに当てた上記ソフトワイヤー２は固定され、上記ソフトワイヤー２の片端から上記布の直線部に沿って、綿ゴムを入れたギャザーが形成された布７の伸縮により、体にぴったり沿い、使用者▲２▼の胸にギャザーができる。リボン１をＤカン金具６で固定し長さを調整すると布は落下しない。【００２０】図７においては、おんぶカバー時の背面から見た図である。上記ソフトワイヤー２をおんぶ紐の背あてに沿わせることで布は固定され、リボン１を背中から肩に向かって引き上げる事で、布は更に安定する。【００２１】図８においては、体の正面で上記ソフトワイヤーの片端から上記布の直線部に沿って、綿ゴムを入れたギャザーが形成された布と、上記ソフトワイヤーの片端とは反対側の端から、さらに綿ゴムを入れた５ｃｍのギャザーが形成された布を重ね合わせ、さらに上記ボタン４と上記ボタンホール５を留めることで、布は落下しない。【００２２】図９においてはおんぶカバー時の側面からの斜視図である。使用者の両脇にはギャザーがあるので、体に沿うようになっており布の落下を防止すると同時に、体型の異なる使用者でも容易に装着が可能となる（図１０、図１１参照）。【００２３】図１２においては授乳カバー兼おんぶカバーの共布の携帯用袋である。鞄などにしまう際はこの袋を使用すると、鞄の中が整理されるので容易に取り出して使うことができる。
【図面の簡単な説明】
【００２４】
【図１】本発明の授乳カバー兼おんぶカバーを示した展開図
【図２】授乳カバー時による実施形態の首にリボンを掛けた正面図
【図３】授乳カバー時による実施形態の首にリボンを掛けた背面図
【図４】授乳カバー時による実施形態の肩にリボンを掛けた正面図
【図５】授乳カバー時による実施形態の肩にリボンを掛けた背面図
【図６】おんぶカバー時による実施形態の正面図（全体図）
【図７】おんぶカバー時による実施形態の背面図
【図８】おんぶカバー時による実施形態の正面図（カクレ部分）
【図９】おんぶカバー時による実施形態の側面図（全体図）
【図１０】おんぶカバー時による実施形態の側面図（上半身図）
【図１１】おんぶカバー時による実施形態の側面図（拡大図）
【図１２】本発明の携帯用外袋を示した平面図
【符号の説明】
【００２５】▲１▼  授乳者
▲２▼  おんぶする者
▲３▼  乳児
▲４▼  乳幼児
１  リボン
２  ソフトワイヤー
３  小Ｄカン金具
４  ボタン
５  ボタンホール
６  Ｄカン金具
７  ギャザー１５センチ（綿ゴム使用）
８  ギャザー５センチ（綿ゴム使用）
９  布の縦の長さ９０センチ
１０  巾着紐
１１  おんぶ紐
１２  おんぶ紐背あて
【要約】
【課題】  屋外や電車・バス内など公共機関での授乳は、授乳の様子が外から見えない様に工夫する必要がある。ひも式おんぶ紐を使用でおんぶの際は、胸が強調されるので外出を躊躇してしまうと共に、乳幼児の体を覆うバスタオル代わりのデザイン性のあるものがなかった。このような環境において授乳カバー専用のものとおんぶカバー専用のものはあっても、一枚で兼用するものはなかった。
【解決手段】  これらの問題を解決する為、授乳に関して、まずは人前で授乳の様子が見えず布の上部にソフトワイヤーを入れることで乳児も母親もお互いの顔を確認しながら授乳が可能となること。布を円状にする事で乳児が手足を動かしても布が外れる心配がなく安心して授乳を続ける事が可能である。おんぶに関しては、ひも式おんぶ紐を使用の際は使用者の胸元をギャザーで覆う為胸の強調を隠すことができ、おんぶされた乳幼児は直接風や日差しが当たらないよう布で覆う事ができる。
【選択図】図１【図１】
0004203864.tif 000002
【図２】
0004203864.tif 000003
【図３】
0004203864.tif 000004
【図４】
0004203864.tif 000005
【図５】
0004203864.tif 000006
【図６】
0004203864.tif 000007
【図７】
0004203864.tif 000008
【図８】
0004203864.tif 000009
【図９】
0004203864.tif 000010
【図１０】
0004203864.tif 000011
【図１１】
0004203864.tif 000012
【図１２】
0004203864.tif 000013